(57)【要約】【目的】  ＩＰ電話システムにおける異なる機種の組み合わせの多様な試験パターンに対して、網羅的且つ効率的に試験を行うことを可能とするＩＰ電話接続試験方法を提供する。【構成】  複数機種のＩＰ電話装置間のＩＰネットワークを介した接続試験を行うＩＰ電話接続試験方法であり、該ＩＰ電話装置のうちの２つを介して、１つの発信端末から呼の発信をなし他の１つの着信端末に着信せしめるように該端末間での呼接続の指令をなし、該指令に応じて、該ＩＰネットワークから該呼接続に伴う呼制御プロトコル信号を収集し解析する。【選択図】  図２
2007027953.tif 000002
【特許請求の範囲】
【請求項１】
複数機種のＩＰ電話装置間のＩＰネットワークを介した接続試験を行うＩＰ電話接続試験方法であって、
前記ＩＰ電話装置のうちの２つを介して、１つの発信端末から呼の発信をなし他の１つの着信端末に着信せしめるように前記端末間での呼接続の指令をなす交換ステップと、
前記指令に応じて、前記ＩＰネットワークから前記呼接続に伴う呼制御プロトコル信号を収集し解析する収集解析ステップと、
を含むことを特徴とするＩＰ電話接続試験方法。
【請求項２】
前記収集解析ステップは、前記呼制御プロトコル信号を解析することにより前記呼接続の正常完了の成否を検証するステップを含むことを特徴とする請求項１記載のＩＰ電話接続試験方法。
【請求項３】
前記ＩＰ電話装置と外線を介して繋がる構内交換機に内線を介して繋がる少なくとも１つのコンピュータ装置に、前記ＩＰ電話装置の各々を指定する発信番号を、前記ＩＰ電話装置のうちの２つの組み合わせ毎に予め保持するステップをさらに含み、
前記交換ステップは、前記組み合わせ毎に、前記コンピュータ装置により前記発信番号を伴う外線発信を前記発信端末として生成し、前記構内交換機により、前記外線発信を前記発信番号に対応する組み合わせのＩＰ電話装置の２つを介する呼に変換することにより、前記呼接続をなすステップであることを特徴とする請求項１記載のＩＰ電話接続試験方法。
【請求項４】
前記交換ステップは、前記構内交換機により、前記組み合わせの一方のＩＰ電話装置における呼の着信を、さらに前記コンピュータ装置において前記着信端末として個別着信せしめるステップをさらに含むことを特徴とする請求項３記載のＩＰ電話接続試験方法。
【請求項５】
前記交換ステップは、前記構内交換機により、前記組み合わせの一方のＩＰ電話装置における呼の着信を、公衆電話回線網を介して前記コンピュータ装置において前記着信端末として着信せしめるステップをさらに含むことを特徴とする請求項３記載のＩＰ電話接続試験方法。
【請求項６】
前記収集解析ステップは、前記コンピュータ装置の制御により、前記ＩＰネットワークに繋がるプロトコルアナライザをして前記ＩＰネットワークから前記呼接続に伴う呼制御プロトコル信号を収集し解析せしめるステップであることを特徴とする請求項３記載のＩＰ電話接続試験方法。
【請求項７】
前記収集解析ステップは、前記発信番号を前記コンピュータ装置から前記プロトコルアナライザに通知するステップを含むことを特徴とする請求項６記載のＩＰ電話接続試験方法。
【請求項８】
前記交換ステップは、前記ＩＰネットワークに繋がる呼制御サーバによる呼制御により前記ＩＰ電話装置のうちの２つの間を接続することを特徴とする請求項３記載のＩＰ電話接続試験方法。
【請求項９】
前記発信番号は、前記構内交換機において前記ＩＰ電話装置の各々を特定する外線を指定する特番と、前記ＩＰネットワークにおいて前記ＩＰ電話装置の各々を特定する電話番号とを含むことを特徴とする請求項３記載のＩＰ電話接続試験方法。
【発明の詳細な説明】
【技術分野】
【０００１】
本発明は、ＶｏＩＰ（Voice over IP）技術を用いた複数機種のＩＰ電話装置、例えばメディアゲートウェイの如き装置のＩＰネットワークを介した接続試験を行うＩＰ電話接続試験方法に関する。
【背景技術】
【０００２】
ＶｏＩＰを実現するために必要となる様々のプロトコルが規定されている。それらのうちで呼の接続制御のためのプロトコルとしては、ＳＩＰ（Session Initiation Protocol：ＲＦＣ３０６１）、ＩＴＵ勧告Ｈ．３２３規格やＭＧＣＰ（Media Gateway Control Protocol：ＲＦＣ２７０５）の各規格がある。しかし、かかるプロトコルの規定内容が文書に記載されていたとしても、プロトコルの規定内容の解釈の違い、実装上の細かい仕様の違いにより、該プロトコルを用いた呼の接続性が必ずしも完全に保証されるわけではない。そのため、実際にサービスを開始するためには、ＩＰ電話システムを構成するＩＰ電話装置間の接続試験を実際に行う必要がある。かかる接続試験は、要求されたプロトコルが不整合なく実行されているかを、プロトコルアナライザ等の試験ツールを用いて検証することが必要である。
【発明の開示】
【発明が解決しようとする課題】
【０００３】
しかし、かかる接続試験は、呼を手動で発信することから始まり、試験ツールによるログの収集、ログ解析を行うことが必要であり、細かい検証作業が要求される。特に、メディアゲートウェイ等のＩＰ電話装置の機種が多様化するにつれて、異なる機種が混在する多様な試験パターンについて網羅的に試験を行うことが要請され、試験実施に伴うコスト増を招いていた（図１参照）。
【０００４】
本発明の目的は、ＩＰ電話システムにおける異なる機種の組み合わせの多様な試験パターンに対して、網羅的且つ効率的に試験を行うことを可能とするＩＰ電話接続試験方法を提供することである。
【課題を解決するための手段】
【０００５】
本発明によるＩＰ電話接続試験方法は、複数機種のＩＰ電話装置間のＩＰネットワークを介した接続試験を行うＩＰ電話接続試験方法であり、該ＩＰ電話装置のうちの２つを介して、１つの発信端末から呼の発信をなし他の１つの着信端末に着信せしめるように該端末間での呼接続の指令をなす交換ステップと、該指令に応じて、該ＩＰネットワークから該呼接続に伴う呼制御プロトコル信号を収集し解析する収集解析ステップとを含むことを特徴とする。
【発明の効果】
【０００６】
本発明によるＩＰ電話接続試験方法によれば、ＩＰ電話システムにおける異なる機種の組み合わせの多様な試験パターンに対して、網羅的且つ効率的に試験を行うことが可能となる。
【発明を実施するための最良の形態】
【０００７】
本発明の実施例について添付の図面を参照して詳細に説明する。
＜第１実施例＞
図２は、本発明の第１実施例を示し、ＩＰ電話接続試験方法を実行する全体の構成を示している。該構成は、全体としてＶｏＩＰ試験システム１００をなしている。ＶｏＩＰ試験システム１００は、試験対象のＩＰ電話装置である複数のメディアゲートウェイ（図中においてＭＧと表記）１０ａ〜１０ｃと、構内交換機２０（以下、ＰＢＸ２０と称する）と、パーソナルコンピュータ６０（図中においてＰＣと表記）と、コールエージェト（図中においてＣＡと表記）３０と、プロトコルアナライザ５０とを含んでいる。
【０００８】
複数のメディアゲートウェイ１０ａ〜１０ｃの一端は、ＩＰネットワークであるＬＡＮ９０に接続され、それらの他端はＰＢＸ２０の外線側に接続されている。メディアゲートウェイ１０ａ〜１０ｃの各々は、通常のＶｏＩＰ技術を用いた電話機（図示せず）を収容し、ＩＰネットワークと通常のアナログ電話ネットワークとの間のゲートウェイ機能を有する。コールエージェント３０は、ＬＡＮ９０に繋がれ、ＩＰネットワークにおけるＩＰ電話のための呼制御をなす呼制御サーバである。コールエージェント３０は、複数のメディアゲートウェイ１０ａ〜１０ｃの何れか２つの対向する装置間でＩＰ電話プロトコル（例えば、ＳＩＰ）に従った接続を可能とする。
【０００９】
ＰＢＸ２０は、内線端末間の呼接続並びに外線と内線端末との間の呼接続をなす通常の構内交換機であり、パーソナルコンピュータ６０を内線端末として収容し、メディアゲートウェイ１０ａ乃至１０ｃの各々を介して外線であるＬＡＮ９０と繋がっている。ＰＢＸ２０の外線側は、複数のメディアゲートウェイ１０ａ〜１０ｃの一端に繋がれ、外線番号を特定することにより複数のメディアゲートウェイ１０ａ〜１０ｃの何れかとの接続を可能としている。ＰＢＸ２０の内線側は、２つのアナログ回線を収容し、内線番号を特定することにより網制御ユニット６１及び６２（以下、ＮＣＵ６１及び６２と称する）の何れかとの接続を可能としている。
【００１０】
パーソナルコンピュータ６０は、通常のコンピュータであり、２つのアナログ電話回線を介してＰＢＸ２０に繋がっている。ＮＣＵ６１を介して繋がるアナログ回線は、パーソナルコンピュータ６０を発信端末として発信専用に用いる回線であり、ＮＣＵ６２を介して繋がるアナログ回線は、パーソナルコンピュータ６０を着信端末として着信専用に用いる回線である。パーソナルコンピュータ６０は、また、プロトコルアナライザ５０の動作をＬＡＮ９０を介して制御し、プロトコルアナライザ５０からの結果報告をＬＡＮ９０を介して受信する。
【００１１】
プロトコルアナライザ５０は、ＬＡＮ９０に繋がれ、ＬＡＮ９０上に流れるＩＰパケットを収集し、これをログ情報として記録する記録機能、該ログ情報から送信元及び受信先ＩＰアドレスやプロトコル識別を基にしてプロトコル分析を行う解析機能、並びに該解析の結果報告をパーソナルコンピュータ６０に出力する機能を備える。かかる記録、解析及び報告の一連の処理は、パーソナルコンピュータ６０によりＬＡＮ９０を介して開始及び終了指示される。特に開始指示時には、発信番号として発信時の電話番号がパーソナルコンピュータ６０によりプロトコルアナライザ５０に渡される。これにより、記録されたログ情報が該電話番号をキーとした検索により参照することができる。
【００１２】
また、パーソナルコンピュータ６０は、異なる機種のＩＰ電話装置をＬＡＮ９０を介して対向して接続する組み合わせを規定する試験パターンテーブル６３を含んでいる。試験パターンテーブル６３に基づいて、パーソナルコンピュータ６０は複数の試験パターンを順次実行し、すべてのメディアゲートウェイ１０ａ〜１０ｃ間の接続試験を網羅的に行うことができる。
【００１３】
多数の試験パターンを網羅的に行うためには、発信用の回線から発信し、特定のメディアゲートウェイからこれに対向する特定のメディアゲートウェイを経て着信用の回線に着信させることが必要となる。そのために、発信に応じて接続されるメディアゲートウェイを特定するのに、通常のＰＢＸに備えられる「指定外線捕捉」機能を用い、特定のメディアゲートウェイが着信用の回線に接続されるように、通常のＰＢＸに備えられる個別着信応答（ＤＩＬ：Direct In Line）機能を用いる。これらの機能設定は、予めＰＢＸ２０に設定され得る。尚、指定外線捕捉とは、複数ある外線のうちから特定の外線を電話機操作により指定して使用できる状態にすることを意味する。一方、個別着信応答とは、外線から着信する呼に対して、複数の内線端末のうちの１つを選択して直接着信させることを意味する。
【００１４】
図３は、メディアゲートウェイ１０ａ〜１０ｃのうちの２対からなる各試験パターンについて網羅的試験を行う方法を説明している。前提として、メディアゲートウェイ１０ａの外線番号を "050-5555-1111" とし、メディアゲートウェイ１０ｂの外線番号を "050-5555-2222" とし、メディアゲートウェイ１０ｃの外線番号を "050-5555-3333" とする。また、ＮＣＵ６２の内線番号を "2002" とし、ＮＣＵ６１の内線番号を "2001" とする。
【００１５】
本図を参照して各試験パターンの試験を行う方法を説明すると、先ず、パーソナルコンピュータ６０はＮＣＵ６１より試験呼を発信する（ステップＳ１）。このとき、指定外線捕捉として「特番＋外線電話番号」を指定することにより外線を指定して発信する。この場合、ダイヤル番号を "31+05055553333" と指定する。 "31" はＰＢＸ２０の外線３１を指定する特番である。また、この試験呼の発信の指令に際して、パーソナルコンピュータ６０は、プロトコルアナライザ５０に対してＩＰパケットの収集を開始指示する。
【００１６】
次に、ＰＢＸ２０は、特番"31"をみて、発信するメディアゲートウェイ１０ａに至る外線を捕捉する（ステップＳ２）。ＰＢＸ２０には、予め特番 "31" をメディアゲートウェイ１０ａに至る外線３１とし、特番 "32" をメディアゲートウェイ１０ｂに至る外線３２とし、特番 "33" をメディアゲートウェイ１０ｃに至る外線３３として設定されている必要がある。次いで、ＰＢＸ２０は、メディアゲートウェイ１０ａに向けて発信する（ステップＳ３）。このとき、ダイヤル番号を "05055553333" とする。
【００１７】
次に、メディアゲートウェイ１０ａはコールエージェント３０に対してダイヤル番号 "05055553333" への接続を要求する（ステップＳ４）。これに応じて，コールエージェント３０は、ダイヤル番号 "05055553333" に対応するメディアゲートウェイ１０ｃに該試験呼を着信せしめる（ステップＳ５）。
【００１８】
次いで、ＰＢＸ２０は、該試験呼の着信をパーソナルコンピュータ６０のＮＣＵ６２に個別着信せしめる（ステップＳ６）。このために、予めＰＢＸ２０には、各メディアゲートウェイ１０ａ〜１０ｃから着信した場合、すべてパーソナルコンピュータ６０のＮＣＵ６２へ着信するように設定されている。かかる着信はＰＢＸ２０の個別着信応答機能により実現される。最後に、ＰＢＸ２０は、該試験呼をパーソナルコンピュータ６０のＮＣＵ６２に着信する（ステップＳ７）。
【００１９】
以上の処理手順に並行して、プロトコルアナライザによりログ記録、解析及び報告等の一連の処理がなされる。かかる処理において、ＩＰネットワークであるＬＡＮ９０から収集される呼制御プロトコル信号を解析することにより、２つのメディアゲートウェイを介した呼接続における正常完了の成否を検証する。
【００２０】
図４は、試験パターンテーブルの構成例を示している。試験パターンテーブル６３には、試験対象となるメディアゲートウェイ１０ａ〜１０ｄの各装置のうちから対向する２装置の組み合わせパターンとしての試験パターンが規定され、各組み合わせにおける発信番号が「特番＋外線電話番号」として設定される。パーソナルコンピュータは、この「特番＋外線電話番号」をダイヤル番号として発信することにより、対応する各組み合わせにおける対向試験を行うことができる。前出の如く発信側をメディアゲートウェイ１０ａとし着信側をメディアゲートウェイ１０ｃとすると、ダイヤル番号が "31+05055553333" と指定される。
【００２１】
以上の第１実施例において、複数のメディアゲートウェイ間やコールエージェントとメディアゲートウェイとの間の接続試験が実行される。かかる接続試験は、自動化されて行われ手動の発信を必要とせず、ログの収集及びログ解析が行われる。また、該接続試験は、新規にメディアゲートウェイを導入する場合だけでなく、メディアゲートウェイのファーム変更やコールエージェントのプログラムファイル更新に伴い実行され得る。特に、通信事業者、いわゆるキャリアなどでコールエージェント配下に数十種類ものメディアゲートウェイを収容しているケースでは、かかる接続試験が自動化されることで、その実施工数を大幅に低減することができる。
【００２２】
例えば、図１に示されたように、コールエージェントがプログラムファイルを変更した場合になされるべき試験パターンの数は試験対象となる機種の数に依存する。コールエージェント下にＮ（正数）種類のメディアゲートウェイがあった場合、NＣ2＋Ｎパターンの検証が必要になる。例えば、５種類のメディアゲートウェイがあった場合は、１５パターンの検証が、２０種類あった場合は、２１０パターンの検証をする必要がある。かかる状況において、本発明によるＩＰ電話接続試験方法を適用することで試験工数を大幅に削減することかできる。
＜第２実施例＞
図５は、本発明の第２実施例を示し、ＩＰ電話接続試験方法を実行する全体の構成を示している。該構成は、全体としてＶｏＩＰ試験システム１００をなしている。ＶｏＩＰ試験システム１００は、試験対象のＩＰ電話装置である複数のメディアゲートウェイ１０ａ〜１０ｃと、構内交換機２０と、パーソナルコンピュータ６０と、コールエージェト３０と、プロトコルアナライザ５０とを含んでいる。これら相互の基本的な接続形態は第１の場合と同様である。
【００２３】
本第２の実施例において、さらに、試験対象のメディアゲートウェイ１０ｄがＬＡＮ９０に接続されている。メディアゲートウェイ１０ｄは、接続点（ＰＯＩ：Point of Interface）７０を経由して、さらに公衆電話回線すなわちＰＳＴＮ４０を経由してパーソナルコンピュータ６０のＮＣＵ６２に接続されている。これにより、パーソナルコンピュータ６０からＮＣＵ６１を介して試験呼を発信し、これをメディアゲートウェイ１０ａを経てメディアゲートウェイ１０ｄを経由してパーソナルコンピュータ６０に着信する接続試験ができる。以上の構成において、第１の実施例の説明において示された同様の接続試験方法が実行される。
【００２４】
以上の第２の実施例においては、ＰＳＴＮが介在する接続形態においても、複数のメディアゲートウェイ間やコールエージェントとメディアゲートウェイとの間の接続試験において、手動の発信を必要しない自動化が可能となっている。
【００２５】
以上の複数の実施例から明らかなように、本発明によるＩＰ電話接続方法を適用することにより、異なる機種のメディアゲートウェイの組み合わせにおける多様な試験パターンに対して、網羅的且つ効率的に試験を行うことができる。複数の試験パターンは順次実行され、接続試験の一連の手順が自動化される。これにより、従来、接続試験にかかっていた多大な工数を大幅に削減することが可能となる。
【産業上の利用可能性】
【００２６】
本発明によるＩＰ電話接続試験方法は、メディアゲートウェイの呼称に関わらず、ＶｏＩＰシステムにおいて電話経路に介在する多様なＩＰ電話装置間の接続試験を行う形態に適用され得る。
【図面の簡単な説明】
【００２７】
【図１】従来のＩＰ電話接続試験における個数の試験パターンを説明している説明図である。
【図２】本発明の第１実施例を示し、ＩＰ電話接続試験方法を実行する全体の構成を示しているブロック図である。
【図３】複数のメディアゲートウェイの各試験パターンについて網羅的試験を行う方法を説明している説明図である。
【図４】試験パターンテーブルの構成例を示している図である。
【図５】本発明の第２実施例を示し、ＩＰ電話接続試験方法を実行する全体の構成を示しているブロック図である。
【符号の説明】
【００２８】
１０ａ〜１０ｄ  メディアゲートウェイ（ＭＧ）
２０  構内交換機（ＰＢＸ）
３０  コールエージェト（ＣＡ）
４０  公衆電話回線（ＰＳＴＮ）
５０  プロトコルアナライザ
６０  パーソナルコンピュータ（ＰＣ）
６１、６２  網制御ユニット（ＮＣＵ）
６３  試験パターンテーブル
７０  接続点（ＰＯＩ）
９０  ＬＡＮ
１００  ＶｏＩＰ試験システム
【図１】
2007027953.tif 000003
【図２】
2007027953.tif 000004
【図３】
2007027953.tif 000005
【図４】
2007027953.tif 000006
【図５】
2007027953.tif 000007